(57)【要約】【課題】機械式ロッカー装置の使用状況を管理可能として利便性を高める。【解決手段】使用時に施錠した鍵が抜き取られるロッカーボックスを複数備えるロッカー装置と、鍵のそれぞれに取り付けられた無線通信タグと、無線通信タグそれぞれを検知する処理を実行して、検知できなかった無線通信タグを特定する情報を出力するロッカー管理装置と、ロッカー管理装置が検知できなかった無線通信タグの数を使用中のロッカーボックスの数として管理する管理サーバとによってロッカーシステムを構成する。【選択図】図２
2018142193.tif 000002
【特許請求の範囲】
【請求項１】
使用時に施錠した鍵が抜き取られるロッカーボックスを複数備えるロッカー装置と、
前記鍵のそれぞれに取り付けられた無線通信タグと、
前記無線通信タグそれぞれを検知する処理を実行して、検知できなかった無線通信タグを特定する情報を出力するロッカー管理装置と、
前記ロッカー管理装置が検知できなかった無線通信タグの数を使用中のロッカーボックスの数として管理する管理サーバと
を含むことを特徴とするロッカーシステム。
【請求項２】
前記管理サーバは、前記無線通信タグと前記ロッカーボックスとの対応関係に基づいて、前記ロッカー装置で使用中のロッカーボックスの位置を管理することを特徴とする請求項１に記載のロッカーシステム。
【請求項３】
前記ロッカー装置で使用可能なロッカーボックスの数を示す情報を表示する表示装置をさらに含むことを特徴とする請求項１又は２に記載のロッカーシステム。
【請求項４】
前記表示装置は、前記ロッカー装置で使用可能なロッカーボックスの位置を示す情報を表示することを特徴とする請求項３に記載のロッカーシステム。
【請求項５】
前記表示装置は、使用可能なロッカーボックスを備えるロッカー装置の設置場所を示す情報を表示することを特徴とする請求項３又は４に記載のロッカーシステム。
【請求項６】
前記ロッカー管理装置は、前記無線通信タグのバッテリー電圧の低下を検知することを特徴とする請求項１〜５のいずれか１項に記載のロッカーシステム。
【発明の詳細な説明】
【技術分野】
【０００１】
この発明は、物品の一時的な収納に使用するロッカー装置を管理するロッカーシステムに関する。
【背景技術】
【０００２】
従来、駅構内等の様々な場所で、コインロッカー等のロッカー装置が利用されている。ロッカー装置は、施解錠可能な扉を有する箱形形状の複数のロッカーボックスを有する。ロッカーボックスの使用者は、ロッカーボックスに物品を収納して料金を支払い、扉を施錠した鍵を鍵穴から抜き取って所持しておく。そして、この鍵を鍵穴に挿して解錠すれば、ロッカーボックスの物品を取り出すことができる。ロッカーボックスが施錠されている間、このロッカーボックスは使用中となって他者が使用することはできない。このため、使用可能な空きロッカーボックスの有無が分かるようにロッカー装置を管理することが望まれていた。
【０００３】
近年、各ロッカーボックスの施解錠や料金支払を電子化した電子式ロッカー装置が登場し、使用可能な空きロッカーボックスの有無をコンピュータ装置で管理できるようになった。一方、古くからある機械式ロッカー装置は、施解錠及び硬貨による料金支払を機械的に行うため、そのままでは各ロッカーボックスの使用状況をコンピュータ装置で管理することはできない。このため、特許文献１に開示されたロッカーシステムでは、機械式ロッカー装置を改造することによって各ロッカーボックスを管理している。具体的には、各ロッカーボックスの錠を、コンピュータ装置と接続可能な錠装置に改造して、各ロッカーボックスを管理する。
【先行技術文献】
【特許文献】
【０００４】
【特許文献１】特開２０１０−２０７３３号公報
【発明の概要】
【発明が解決しようとする課題】
【０００５】
しかしながら、上記従来技術では、機械式ロッカー装置が有する全てのロッカーボックスで錠装置を交換する必要があり、手間とコストがかかるという問題があった。手間やコストは最小限に抑えながら、従来使用されているロッカー装置の利便性を高めたいという要望がある。
【０００６】
本発明は、上記従来技術による問題点を解消するためになされたもので、機械式ロッカー装置の利便性を高めることができるロッカーシステムを提供することを目的とする。
【課題を解決するための手段】
【０００７】
上述した課題を解決し、目的を達成するため、本発明は、ロッカーシステムであって、使用時に施錠した鍵が抜き取られるロッカーボックスを複数備えるロッカー装置と、前記鍵のそれぞれに取り付けられた無線通信タグと、前記無線通信タグそれぞれを検知する処理を実行して、検知できなかった無線通信タグを特定する情報を出力するロッカー管理装置と、前記ロッカー管理装置が検知できなかった無線通信タグの数を使用中のロッカーボックスの数として管理する管理サーバとを含むことを特徴とする。
【０００８】
また、本発明は、上記発明において、前記管理サーバは、前記無線通信タグと前記ロッカーボックスとの対応関係に基づいて、前記ロッカー装置で使用中のロッカーボックスの位置を管理することを特徴とする。
【０００９】
また、本発明は、上記発明において、前記ロッカー装置で使用可能なロッカーボックスの数を示す情報を表示する表示装置をさらに含むことを特徴とする。
【００１０】
また、本発明は、上記発明において、前記表示装置は、前記ロッカー装置で使用可能なロッカーボックスの位置を示す情報を表示することを特徴とする。
【００１１】
また、本発明は、上記発明において、前記表示装置は、使用可能なロッカーボックスを備えるロッカー装置の設置場所を示す情報を表示することを特徴とする。
【００１２】
また、本発明は、上記発明において、前記ロッカー管理装置は、前記無線通信タグのバッテリー電圧の低下を検知することを特徴とする。
【発明の効果】
【００１３】
本発明によれば、ロッカー管理装置が、機械式ロッカー装置の複数のロッカーボックスそれぞれの鍵に取り付けられた、固有の識別情報を有する無線通信タグを検知する処理を実行する。ロッカーボックスの使用を開始した使用者が、ロッカーボックスを施錠して鍵を抜き取り、ロッカー装置から離れると、ロッカー管理装置は無線通信タグを検知できなくなる。これを利用して、ロッカー管理装置による無線通信タグの検知結果を受信した管理サーバは、使用中のロッカーボックスを認識し、ロッカー装置の使用状況を管理することができる。
【図面の簡単な説明】
【００１４】
【図１】図１は、ロッカーシステムの概要を説明するための模式図である。
【図２】図２は、ロッカーシステムの構成を説明するためのブロック図である。
【図３】図３は、ロッカー管理装置と無線通信タグとの対応を示す図である。
【図４】図４は、ロッカー装置、ロッカー管理装置、ロッカーボックス及び無線通信タグの対応関係を示す図である。
【図５】図５は、ロッカー装置の管理情報を示す図である。
【図６】図６は、操作表示装置の画面表示の例を示す図である。
【図７】図７は、２つのロッカーボックスの連結方法を説明する図である。
【図８】図８は、２つの扉を連結する連結装置の例を示す図である。
【発明を実施するための形態】
【００１５】
以下に、添付図面を参照して、本発明に係るロッカーシステムについて詳細を説明する。本実施形態では、駅構内で使用するロッカーシステムを例に説明する。図１は、ロッカーシステムの概要を説明するための模式図である。
【００１６】
図１に示すように、ロッカーシステムは、ロッカー管理装置１０と、管理サーバ２０と、操作表示装置３０と、複数のロッカーボックス７０及び鍵８０を含む機械式のロッカー装置６０と、各鍵８０に取り付けられた無線通信タグ９０とを含む。ロッカー管理装置１０、管理サーバ２０及び操作表示装置３０は、ネットワーク１００を介して通信可能に接続されている。
【００１７】
また、管理サーバ２０には、電子式のロッカー装置４０で各ロッカーボックス４２の使用状況を管理する管理装置４１と、トイレ５０の各個室のドアに設けたセンサー５２を利用して各個室の使用状況を管理する管理装置５１とがネットワーク１００を介して接続されている。
【００１８】
ロッカーボックス４２の使用状況を管理可能な電子式ロッカー装置４０は従来技術であるため詳細な説明は省略するが、管理装置４１は、ロッカーボックス４２の使用が開始されると、これを管理サーバ２０に通知する機能を有する。トイレ５０の管理装置５１は、通常は開状態に付勢されている個室のドアが、個室の使用に伴って閉じられると、これをセンサー５２で検知して管理サーバ２０に通知する機能を有する。また、詳細は後述するが、ロッカー管理装置１０は、機械式のロッカー装置６０でロッカーボックス７０の使用が開始されると、これを検知して管理サーバ２０に通知する機能を有する。
【００１９】
管理サーバ２０は、制御部、記憶部、操作部及び表示部を有するコンピュータ装置から成る。管理サーバ２０は、ロッカーシステムを含む構内設備管理システムで、ロッカー装置４０、６０や、トイレ５０等、駅構内の設備の使用状況を管理する。管理サーバ２０は、電子式ロッカー装置４０の管理装置４１、トイレ５０の管理装置５１、及び機械式ロッカー装置６０のロッカー管理装置１０のそれぞれから情報を受信する。そして、電子式ロッカー装置４０の各ロッカーボックス４２、トイレ５０の各個室、及び機械式ロッカー装置６０の各ロッカーボックス７０の使用状況を認識し、使用可能なロッカーボックス４２、７０の数、トイレ個室の数等を管理する。
【００２０】
操作表示装置３０は、制御部、記憶部、操作部及び表示部を有するコンピュータ装置から成る。操作表示装置３０は、タッチパネル式の液晶表示部を含み、これを操作部及び表示部として利用する。操作表示装置３０は、駅構内に設置されている。駅の利用客が、操作表示装置３０に表示される案内表示に従って所定の操作を行うと、管理サーバ２０が管理している、電子式ロッカー装置４０で使用可能なロッカーボックス４２の数、使用可能なトイレ５０の個室の数、機械式ロッカー装置６０で使用可能なロッカーボックス７０の数等の情報が操作表示装置３０の画面上に表示される。駅の利用客は、操作表示装置３０でロッカー装置４０、６０の使用状況や、トイレ個室の使用状況を確認して、使用可能なロッカーボックス４２、７０のあるロッカー装置４０、６０や、トイレ５０に向かうことができる。
【００２１】
図１には、電子式のロッカー装置４０、トイレ５０及び機械式のロッカー装置６０を１つずつ示しているが、管理サーバ２０は、複数の電子式ロッカー装置４０、複数のトイレ５０、複数の機械式ロッカー装置６０を、それぞれ区別して管理することができる。管理サーバ２０は、駅構内に設置されたロッカー装置４０、６０の場所、トイレ５０の場所を案内する機能も有している。駅の利用客は、使用可能なロッカーボックス４２、７０やトイレ個室があることを確認した後、操作表示装置３０で所定操作を行って画面上に駅構内図を表示し、使用可能なロッカーボックス４２、７０があるロッカー装置４０、６０の設置場所、使用可能な個室があるトイレ５０の場所を確認することができる。
【００２２】
次に、ロッカー管理装置１０と、管理サーバ２０と、操作表示装置３０と、複数のロッカーボックス７０及び鍵８０を含む機械式のロッカー装置６０と、各鍵８０に取り付けられた無線通信タグ９０とを含むロッカーシステムの構成について説明する。
【００２３】
図１に示すように、ロッカー装置６０は、複数のロッカーボックス７０（７０ａ〜７０ｈ）を有する。図１には一部の符号のみを示しているが、各ロッカーボックス７０ａ〜７０ｈの扉は、鍵穴７３（７３ａ〜７３ｈ）に挿入された鍵８０（８０ａ〜８０ｈ）によって施解錠可能に構成されている。各鍵８０ａ〜８０ｈには、ロッカー管理装置１０と無線通信可能な無線通信タグ９０（９０ａ〜９０ｈ）が取り付けられている。無線通信タグ９０は、無線通信タグ９０に形成された貫通穴と、鍵８０の頭部に形成された貫通穴との両方にリングを通すことによって、鍵８０に取り付けられている。
【００２４】
各ロッカーボックス７０ａ〜７０ｈは同一構造を有するので、図１に示す左上のロッカーボックス７０ａを例にロッカーボックス７０の構成を説明する。ロッカーボックス７０ａは、扉を開閉するための把手７１ａと、硬貨を投入するための硬貨投入口７２ａと、鍵穴７３ａとを有する。ロッカーボックス７０ａの非使用時には鍵穴７３ａに鍵８０ａが挿入されている。ロッカーボックス７０の使用を開始する使用者は、ロッカーボックス７０ａの扉を開いて内部に物品を収納し、硬貨投入口７２ａに使用料金の硬貨を投入した後、鍵穴７３ａに挿入されている鍵８０ａを回動して、閉じた扉を施錠する。使用者は、施錠した鍵８０ａを鍵穴７３ａから抜き取って所持しておく。ロッカーボックス７０ａの使用を終える際、使用者は、再び鍵８０ａを鍵穴７３ａに挿してロッカーボックス７０ａの扉を解錠して開き、収納しておいた物品を取り出す。
【００２５】
ロッカーボックス７０は、それぞれに専用に設けられた鍵８０を使用しなければ施解錠できない。各ロッカーボックス７０を識別するため、各ロッカーボックス７０にはボックス番号（識別情報）が割り当てられている。図１に示すロッカー装置６０のロッカーボックス７０ａ〜７０ｈには、それぞれボックス番号Ｂ００１〜Ｂ００８が割り当てられている。
【００２６】
ロッカーボックス７０の扉、鍵８０の頭部、鍵８０に取り付けられた無線通信タグ９０には、ボックス番号を示すラベルが貼り付けられている。このため、ロッカーボックス７０ａの使用者は、使用を開始したロッカーボックス７０のボックス番号を記憶する必要はない。使用終了時には、鍵８０ａ及び無線通信タグ９０ａに貼り付けられたラベルのボックス番号と同一のボックス番号が付されたロッカーボックス７０ａを探して解錠し、物品を取り出すことができる。
【００２７】
図２は、ロッカーシステムの構成を説明するためのブロック図である。図２に示すように、ロッカー管理装置１０は、制御部１１０、通信部１２０、検知部１３０、報知部１４０及び記憶部１５０を有する。
【００２８】
検知部１３０は、無線通信タグ９０と無線通信する機能を有する。検知部１３０と無線通信タグ９０は、例えばＢＬＥ（Ｂｌｕｅｔｏｏｔｈ  Ｌｏｗ  Ｅｎｅｒｇｙ）仕様に対応する通信を行う（Ｂｌｕｅｔｏｏｔｈは登録商標）。内蔵する小型バッテリーで動作する無線通信タグ９０は、それぞれを識別するためのタグ番号（識別情報）を有する。検知部１３０は、鍵８０に取り付けられた全ての無線通信タグ９０との間で通信を試みる。このとき、ロッカーボックス７０を使用中の使用者が鍵８０を所持している場合は、鍵８０に取り付けられた無線通信タグ９０とロッカー管理装置１０との間の距離が所定距離以上離れ、検知部１３０は無線通信タグ９０と通信できない。全ての無線通信タグ９０を検知するための処理を実行した検知部１３０は、検知できた無線通信タグ９０のタグ番号と、検知できなかった無線通信タグ９０のタグ番号とを認識する。
【００２９】
記憶部１５０は、半導体メモリ等の不揮発性の記憶装置から成る。記憶部１５０には、各種のプログラムや設定情報等のデータが保存されている。制御部１１０は、記憶部１５０に保存されているデータを利用して各部を制御し、ロッカーシステムの各機能及び各動作を実現する。また、記憶部１５０には、ロッカー管理装置１０が管理する無線通信タグ９０の情報が保存されている。具体的には、図１に示すロッカー装置６０の８つのロッカーボックス７０ａ〜７０ｈを管理するため、各鍵８０ａ〜８０ｈに取り付けられた８つの無線通信タグ９０ａ〜９０ｈのタグ番号等の情報が記憶部１５０に保存されている。検知部１３０は、この情報を利用して各無線通信タグ９０ａ〜９０ｈを検知する処理を実行する。
【００３０】
通信部１２０は、ネットワーク１００を介して管理サーバ２０と通信する機能を有する。通信部１２０は、検知部１３０による検知結果に基づいて、検知できた無線通信タグ９０のタグ番号と、検知できなかった無線通信タグ９０のタグ番号とを管理サーバ２０に送信する。管理サーバ２０は、通信部１２０から受信した情報に基づいて、検知部１３０が検知できなかった無線通信タグ９０のタグ番号を認識する。管理サーバ２０は、検知できなかった無線通信タグ９０は、使用中のロッカーボックス７０の鍵８０に取り付けられている、すなわち無線通信タグ９０に対応するロッカーボックス７０は使用中であると判定する。こうして、管理サーバ２０は、無線通信タグ９０を検知できなかった使用中のロッカーボックス７０と、無線通信タグ９０を検知できた使用可能な空きロッカーボックス７０とを認識する。
【００３１】
報知部１４０は、音、光、文字表示等による報知処理を実行する機能を有する。ロッカーボックス７０の使用を開始した使用者が鍵穴７３から抜き取った鍵８０を所持してロッカー装置６０から離れる際、この鍵８０に取り付けられた無線通信タグ９０と検知部１３０との間で行われる通信の信号強度は徐々に減衰してゼロになる。具体的には、ロッカー管理装置１０から離れてゆく無線通信タグ９０迄の距離に応じて、通信信号の信号強度が減衰して、やがて通信が途切れる。一方、検知部１３０が、鍵穴７３に挿入された鍵８０の無線通信タグ９０と通信する場合、所定の信号強度で通信することができるが、無線通信タグ９０のバッテリーが切れると通信できなくなる。無線通信タグ９０は、検知部１３０と通信する際に、バッテリーの電圧値を示す情報を検知部１３０に送信する機能を有する。制御部１１０は、検知部１３０が受信した情報に基づいてバッテリー電圧を監視して、予め設定された所定電圧値より低い電圧値になると、無線通信タグ９０のバッテリーが切れたと判定する。制御部１１０は、報知部１４０を制御して音や光を発したり文字を表示したりするなどして、バッテリー切れを報知する。制御部１１０がバッテリー切れと判定する電圧値を、検知部１３０と無線通信タグ９０との間で通信不能となる電圧値より高い電圧値に設定することで、検知部１３０と無線通信タグ９０との間で通信できなくなる前に報知処理を実行して、バッテリーを交換することができる。
【００３２】
図３は、ロッカー管理装置１０と無線通信タグ９０との対応を示す図である。図３に示すロッカー管理装置の項目は、各ロッカー管理装置１０を識別する管理装置番号（識別情報）である。無線通信タグの項目は、各無線通信タグ９０を識別するタグ番号である。
【００３３】
図３に示す管理装置番号Ａ００１のロッカー管理装置１０が、図１に示すロッカー管理装置１０に対応している。このロッカー管理装置１０は、タグ番号Ｐ００１〜Ｐ００８の８つの無線通信タグ９０ａ〜９０ｈと通信するよう設定されている。この設定情報が予めロッカー管理装置１０の記憶部１５０に保存されている。ＢＬＥ仕様で通信を行う場合は、設定情報にペアリング情報が含まれる。
【００３４】
この他、図３に示すように、管理装置番号Ａ００２のロッカー管理装置１０はタグ番号Ｑ００１等の無線通信タグ９０と通信を行い、管理装置番号Ａ００３のロッカー管理装置１０はタグ番号Ｒ００１等の無線通信タグ９０と通信を行うよう設定されている。各ロッカー管理装置１０の記憶部１５０には、各ロッカー管理装置１０が通信対象とする無線通信タグ９０の情報が保存されている。無線通信タグ９０を検知する処理を実行する際、各ロッカー管理装置１０は、通信対象として設定されている無線通信タグ９０のみを探索する。
【００３５】
ロッカー管理装置１０の検知部１３０は、図３に示すように予め準備された設定に基づいて、無線通信タグ９０の検知処理を実行する。具体的には、検知部１３０は、記憶部１５０に保存された無線通信タグ９０の情報を利用して、予め設定された所定タイミングで、通信対象として予め設定されている各無線通信タグ９０を検知する処理を実行する。検知部１３０が検知できない無線通信タグ９０が発生すると、通信部１２０がネットワーク１００を介してこれを管理サーバ２０へ通知する。
【００３６】
例えば、図１に示すように、ボックス番号Ｂ００８のロッカーボックス７０ｈの使用を開始した使用者が、鍵穴７３ｈから抜き取った鍵８０ｈを所持してロッカー装置６０から離れる。ロッカー管理装置１０から、鍵８０ｈに取り付けられた無線通信タグ９０ｈ迄の距離Ｌが所定距離を超えると、検知部１３０は、タグ番号Ｐ００８の無線通信タグ９０ｈを検知できなくなる。また、図１に示すように、既に使用中であるボックス番号Ｂ００３のロッカーボックス７０ｃについても、検知部１３０は、鍵穴７３ｃから抜き取られた鍵８０ｃに取り付けられたタグ番号Ｐ００３の無線通信タグ９０ｃを検知できない。一方、検知部１３０は、空きロッカーボックス７０ａ、７０ｂ、７０ｄ〜７０ｇの鍵８０ａ、８０ｂ、８０ｄ〜８０ｇに取り付けられた無線通信タグ９０ａ、９０ｂ、９０ｄ〜９０ｇを検知することができる。こうして、全ての無線通信タグ９０ａ〜９０ｈに係る検知結果が得られると、通信部１２０が、これを管理サーバ２０に通知する。
【００３７】
管理サーバ２０は、ロッカー装置６０、ロッカー管理装置１０、ロッカーボックス７０及び無線通信タグ９０の対応関係を管理している。図４は、ロッカー装置６０、ロッカー管理装置１０、ロッカーボックス７０及び無線通信タグ９０の対応関係を示す図である。図４に示すロッカーの項目は、各ロッカー装置６０を識別するためのロッカー装置番号（識別情報）である。ロッカー管理装置、ロッカーボックス、無線通信タグの項目は、それぞれ管理装置番号、ボックス番号、タグ番号を示している。図４に示すロッカー装置番号Ｌ００１が図１に示すロッカー装置６０に対応し、ロッカー装置番号Ｌ００２は別のロッカー装置６０を示している。
【００３８】
図１には、８つのロッカーボックス７０を有するロッカー装置６０に、１つのロッカー管理装置１０を利用する例を示したが、１台のロッカー装置６０が多数のロッカーボックス７０を有する場合は、複数のロッカー管理装置１０を利用することができる。具体的には、ロッカー装置６０が、ロッカー管理装置１０の検知部１３０が確実に無線通信タグ９０を検知できる距離を超える位置にロッカーボックス７０を有する場合に、複数のロッカー管理装置１０を利用する。
【００３９】
例えば、図４に示すロッカー装置番号Ｌ００２のロッカー装置６０は、管理装置番号Ａ００２のロッカー管理装置１０と、管理装置番号Ａ００３のロッカー管理装置１０の２台を利用して管理される。例えば、ロッカー装置６０を構成する多数列のロッカーボックス７０を２つのグループに分ける。そして、一方のグループのロッカーボックス７０を管理装置番号Ａ００２のロッカー管理装置１０で管理して、他方のグループのロッカーボックス７０を管理装置番号Ａ００３のロッカー管理装置１０で管理する。管理装置番号Ａ００２のロッカー管理装置１０は、一方のグループに属するロッカーボックス７０の無線通信タグ９０全てを検知可能な位置に設置する。同様に、管理装置番号Ａ００３のロッカー管理装置１０は、他方のグループに属するロッカーボックス７０の無線通信タグ９０全てを検知可能な位置に設置する。このように、ロッカー装置６０のサイズに合わせて、複数のロッカー管理装置１０を利用することで、全てのロッカーボックス７０を確実に管理することができる。
【００４０】
図１に示す管理装置番号Ａ００１のロッカー管理装置１０から、タグ番号Ｐ００３の無線通信タグ９０ｃと、タグ番号Ｐ００８の無線通信タグ９０ｈが検知できなかったことを示す情報を受信した管理サーバ２０は、図４に示す情報を参照する。そして、図４に示すボックス番号Ｂ００１〜Ｂ００８の８つのロッカーボックス７０ａ〜７０ｈのうち、タグ番号Ｐ００３及びＰ００８に対応するボックス番号Ｂ００３及びＢ００８の２つのロッカーボックス７０ｃ及び７０ｈが使用中であることを認識する。言い換えれば、８つのロッカーボックス７０のうち、６つのロッカーボックス７０ａ、７０ｂ、７０ｄ〜７０ｈが空いており使用可能であることを認識する。
【００４１】
管理サーバ２０は、ロッカー装置６０、ロッカーボックス７０、ロッカー管理装置１０、及び無線通信タグ９０の対応関係と、ロッカー管理装置１０から受信した情報とに基づいて、使用が開始されたロッカーボックス７０の発生を認識すると、ロッカー装置６０の管理情報を更新する。図５は、ロッカー装置６０の管理情報を示す図である。
【００４２】
図５に示すロッカー、ロッカーボックス、無線通信タグの項目は、それぞれロッカー装置番号、ボックス番号、タグ番号を示している。使用状況の項目は各ロッカーボックス７０が使用中であるか否かを示し、使用開始日時の項目はロッカーボックス７０の使用が開始された日時を示している。
【００４３】
管理サーバ２０は、各ロッカー装置６０の全てのロッカーボックス７０の使用状況を管理している。例えば、図１に示すロッカー装置番号Ｌ００１のロッカー装置６０でタグ番号Ｐ００８の無線通信タグ９０ｈが検知できなくなると、管理サーバ２０は、図５に示すように管理情報を更新する。具体的には、検知できなくなったタグ番号Ｐ００８の無線通信タグ９０ｈに対応するボックス番号Ｂ００８のロッカーボックス７０ｈの使用状況を「空き」から「使用中」に更新すると共に、使用開始日時の項目に無線通信タグ９０ｈが検知できなくなった日時を記録する。なお、タグ番号Ｐ００３の無線通信タグ９０も検知できていないが、これに対応するボックス番号Ｂ００３のロッカーボックス７０ｃは既に使用中として管理されているため、管理情報は更新されない。
【００４４】
ボックス番号Ｂ００３のロッカーボックス７０ｃの使用者は、ロッカーボックス７０ｃの使用を終える際に鍵穴７３ｃに鍵８０ｃを挿して解錠する。この結果、ロッカー管理装置１０の検知部１３０は、この鍵８０ｃに取り付けられたタグ番号Ｐ００３の無線通信タグ９０ｃを検知できるようになる。検知できなかった無線通信タグ９０ｃが検知できるようになると、通信部１２０は、検知できるようになった無線通信タグ９０ｃのタグ番号Ｐ００３を管理サーバ２０に通知する。通知を受けた管理サーバ２０は、図５に示す管理情報で、タグ番号Ｐ００３に対応するボックス番号Ｂ００３のロッカーボックス７０ｃの使用状況を「使用中」から「空き」に更新すると共に、使用開始日時の項目に記録されている日時を消去する。
【００４５】
このように、検知していた無線通信タグ９０が検知できなくなった場合、検知できなくなった無線通信タグ９０のタグ番号を特定可能な情報が、ロッカー管理装置１０から管理サーバ２０へ送信される。管理サーバ２０は、受信した情報に基づいて、検知できなくなった無線通信タグ９０のタグ番号に対応するロッカーボックス７０が使用中になったことを認識する。また、検知できなかった無線通信タグ９０が検知できるようになった場合、検知できるようになった無線通信タグ９０のタグ番号を特定可能な情報が、ロッカー管理装置１０から管理サーバ２０へ送信される。管理サーバ２０は、受信した情報に基づいて、検知できるようになった無線通信タグ９０のタグ番号に対応するロッカーボックス７０が使用可能になったことを認識する。これにより、管理サーバ２０は、使用中のロッカーボックス７０と、使用可能な空きロッカーボックス７０とを区別して管理することができる。また、管理サーバ２０は、使用中のロッカーボックス７０と、使用可能な空きロッカーボックス７０とを略リアルタイムに認識することができる。
【００４６】
図５に示す異常検知の項目は、ロッカーシステムを管理する管理者に報知する異常状態の有無を示している。例えば、制御部１１０が、タグ番号Ｐ００５の無線通信タグ９０ｅのバッテリーが切れたと判定した場合、この無線通信タグ９０ｅのタグ番号Ｐ００５と、バッテリー切れと判定したことを示す情報とが管理サーバ２０に送信される。
【００４７】
管理サーバ２０は、受信した情報に基づいて、図５に示すようにタグ番号Ｐ００５に対応する異常検知の項目に「バッテリー確認」と記録する。また、管理サーバ２０は、異常検知の項目に新たな情報が記録されたことを管理者に報知する。報知を受けた管理者は、図５に示す管理情報を確認して、異常を検知したロッカー装置６０及びロッカーボックス７０を確認し、バッテリー交換等の対応をとることができる。
【００４８】
異常報知は、ロッカー管理装置１０でも行われる。無線通信タグ９０のバッテリーが切れたと判定した制御部１１０は、報知部１４０で報知処理を実行する。報知部１４０は、異常を示すＬＥＤランプと、３桁の数字を表示可能な７セグメントディスプレイとを含む。ボックス番号Ｂ００５の無線通信タグ９０ｅでバッテリー切れが検知された場合、報知部１４０のＬＥＤランプが点灯し、７セグメントディスプレイが「００５」の数字を表示する。バッテリー交換の作業を行う担当者は、報知部１４０の表示から、作業対象となる無線通信タグ９０ｅを容易に認識することができる。
【００４９】
このように、各ロッカーボックス７０の施解錠に使用する鍵８０に、固有のタグ番号を有する無線通信タグ９０を取り付けて、ロッカー管理装置１０で各無線通信タグ９０との通信状況を管理することにより、管理サーバ２０で、ロッカー装置６０の使用状況を管理することができる。管理サーバ２０で管理するロッカー装置６０の使用状況は、操作表示装置３０で確認することができる。
【００５０】
図６は、操作表示装置３０の画面表示の例を示す図である。操作表示装置３０で所定操作を行うと、図６（ａ）に示すように、駅構内図を呼び出すことができる。構内図には、ロッカー装置４０、６０の位置を示すマーク２０２（２０２ａ、２０２ｂ）や、トイレ５０の位置を示すマーク２０１（２０１ａ、２０１ｂ）が表示される。各マーク２０１、２０２の近傍には、使用状況を示す文字が表示される。具体的には、図６（ａ）に示すように、使用可能な個室がないトイレ５０のマーク２０１ｂ近傍には「満」と表示され、使用可能な個室があるトイレ５０のマーク２０１ａ近傍には「空」と表示される。同様に、使用可能なロッカーボックス４２がないロッカー装置４０のマーク２０２ａ近傍には「満」と表示され、使用可能な空きロッカーボックス７０があるロッカー装置６０のマーク２０２ｂ近傍には「空」と表示される。
【００５１】
図６（ａ）に示すマーク２０２ｂが、図１に示すロッカー装置６０に対応している。図６（ａ）に示す画面上でマーク２０２ｂにタッチすると、図６（ｂ）に示すように、ロッカー装置６０の使用状況を示す画面が表示される。画面上には、ロッカー装置６０の外観を示す画像２０３が表示される。この画像２０３上で、使用中のロッカーボックス７０と、使用可能な空きロッカーボックス７０とが区別可能に表示される。図６（ｂ）に示す例では、使用中のロッカーボックス７０の位置にのみ「使用中」の文字が表示されている。また、操作表示装置３０の画面上には、ロッカー装置６０の設置場所を示す情報２０４と、現在日時を示す情報２０５と、使用可能なロッカーボックス７０の数を示す情報２０６とが表示される。画面上に表示された戻るボタン２０７にタッチすると、図６（ａ）の画面に戻って、駅構内におけるロッカー装置６０の位置を確認することができる。なお、現在日時を示す情報２０５については、現在日時に代えて、ロッカー管理装置１０が無線通信タグ９０の検知処理を実行した日時を表示する設定とすることもできる。
【００５２】
図１に示すロッカー装置６０は、同一サイズの複数のロッカーボックス７０を有する。複数のロッカーボックス７０は、連結して使用できるようになっている。図７は、２つのロッカーボックス７０ａ、７０ｂの連結方法を説明する図である。
【００５３】
上下に隣り合う２つのロッカーボックス７０ａ、７０ｂの間は、前面から抜取可能な仕切板７４で仕切られている。図７（ａ）に示すように、上下２つのロッカーボックス７０ａ、７０ｂの扉７５（７５ａ、７５ｂ）を閉じた状態では、仕切板７４を抜き取ることはできない。
【００５４】
上側のロッカーボックス７０ａの扉を閉じると、仕切板７４の前面上側が扉下部で押さえられ、下側のロッカーボックス７０ｂの扉を閉じると、仕切板７４の前面下側が扉上部で押さえられる。このため、図７（ｂ）に示すように、上側のロッカーボックス７０ａの扉７５ａだけを開いても仕切板７４を抜き取ることはできない。同様に、下側のロッカーボックス７０ｂの扉７５ｂだけを開いても仕切板７４を抜き取ることはできない。また、仕切板７４は、上側のロッカーボックス７０ａと下側のロッカーボックス７０ｂの間で、側面に形成された凹溝に嵌め込まれており、仕切板７４を上方のロッカーボックス７０ａ内へ取り外すことはできない。同様に、仕切板７４を下方のロッカーボックス７０ｂ内へ取り外すこともできない。これにより、例えば下側のロッカーボックス７０ｂが使用中である場合に、上側のロッカーボックス７０ａ内から仕切板７４を取り外して、下側のロッカーボックス７０ｂ内の物品を取り出せないようになっている。
【００５５】
上下２つのロッカーボックス７０ａ、７０ｂ両方を使用可能である場合は、図７（ｃ）に示すように上下２つの扉７５ａ、７５ｂを開き、図７（ｄ）に示すように仕切板７４を前方にスライドさせて抜き取ることができる。仕切板７４を抜き取ると、上側のロッカーボックス７０ａの収納空間と下側のロッカーボックス７０ｂの収納空間とが連結され、片方の収納空間では収納できない大きさの物品を収納できるようになる。連結した収納空間に物品を収納した使用者は、２つのロッカーボックス７０ａ、７０ｂ両方の使用料金を支払い、２つの扉７５ａ、７５ｂを閉じて施錠する。使用を終えるときには、２つのロッカーボックス７０ａ、７０ｂ両方を解錠し、２つの扉７５ａ、７５ｂを開いて物品を取り出す。仕切板７４は、連結した収納空間内に保管してもよいし、ロッカー装置６０の上面等に置くようにしてもよい。
【００５６】
図７（ｃ）に示すように、２つのロッカーボックス７０ａ、７０ｂの扉７５ａ、７５ｂを開いた内側に、シート状の磁石７６が貼り付けられている。仕切板７４を抜き取って、２つのロッカーボックス７０ａ、７０を連結して使用する際には、図７（ｄ）に示すように上下２つの扉７５ａ、７５ｂを接続するように磁石７６を貼り付けて、２つの扉７５ａ、７５ｂを同時に開閉することができる。
【００５７】
２つの扉７５ａ、７５ｂを同時に開閉する方法は、磁石７６のシートを利用する方法に限定されず、扉７５ａ、７５ｂに連結装置を設ける態様であってもよい。図８は、２つの扉７５ａ、７５ｂを連結する連結装置の例を示す図である。連結装置は、図８（ａ）に示すように上側の扉７５ａに固定された保持部７７と、保持部７７によって所定範囲内で上下移動可能に保持された落とし棒７８と、下側の扉７５ｂに固定された挿入穴７９とを有する。落とし棒７８を回動して、落とし棒７８のハンドル部分を、保持部７７の左右方向略中央に設けられた溝部の位置に移動させる。そして、ハンドル部分が溝内を通るように落とし棒７８を下方に落とすと、図８（ｂ）に示すように、落とし棒７８の先端が、下側の扉７５ｂの挿入穴７９に挿入される。これにより、２つの扉７５ａ、７５ｂを連結して同時に開閉できるようになる。
【００５８】
本実施形態では、無線通信タグ９０がＢＬＥ仕様で通信する例を示したが、無線通信タグ９０の通信方法がこれに限定されるものではない。例えば、ＲＦＩＤ（Ｒａｄｉｏ  Ｆｒｅｑｕｅｎｃｙ  Ｉｄｅｎｔｉｆｉｅｒ）等の無線通信技術を利用する態様であってもよい。また、無線通信タグ９０がバッテリーで動作する態様を示したが、無線通信タグ９０として利用するＲＦＩＤタグが、バッテリーで動作するアクティブ型に限定されるものではない。バッテリーを有さず、タグリーダとして機能する検知部１３０から電波を受けて、これを電力に変換して動作するパッシブ型のＲＦＩＤタグを無線通信タグ９０として利用する態様であってもよい。ロッカーボックス７０の鍵穴７３に挿した鍵８０に取り付けた状態で、検知部１３０と無線通信タグ９０との間で無線通信可能であり、無線通信タグ９０を取り付けた鍵８０と検知部１３０との間の距離が離れたことを検知可能であれば、通信方法は特に限定されない。
【００５９】
本実施形態では、ロッカー管理装置１０が無線通信タグ９０を検知できなくなった場合、すなわち通信できなくなった場合に、ロッカーボックス７０の使用が開始されたと判定する態様を示したが、使用開始の判定方法がこれに限定されるものではない。例えば、ロッカー管理装置１０が無線通信タグ９０と通信する際の信号強度が、予め設定した所定の閾値を超えて低下した場合に、ロッカーボックス７０の使用が開始されたと判定する態様であってもよい。
【００６０】
本実施形態では、ロッカー管理装置１０と通信可能な無線通信タグ９０を別に準備して、鍵８０に取り付ける態様を示したが、上述した無線通信タグ９０の機能を鍵８０の頭部分で実現する態様であってもよい。すなわち、頭部分に無線通信タグ９０を埋め込んだ鍵を準備して利用する態様であってもよい。この場合も、ロッカー装置６０の各ロッカーボックス７０の構造はそのままに、鍵８０を変更するだけで上述したように各ロッカーボックス７０を管理することができる。
【００６１】
本実施形態では駅構内で使用されるコインロッカーを例に説明したが、ロッカー管理装置１０と無線通信タグ９０から成るシステムは、貴重品を収納するロッカー、更衣室で使用するロッカー等でも同様に使用することができる。
【００６２】
ロッカー管理装置１０は、無線通信タグ９０を取り付けた鍵８０が所定距離以上離れて通信できなくなった場合に、これを報知する機能を有している。通信できない無線通信タグ９０が発生した場合に、報知部１４０が警報音を発するようにロッカー管理装置１０を設定することができる。例えば、所定の部屋等、所定領域内で貴重品を保管するロッカー装置の鍵８０に無線通信タグ９０を取り付けて、ロッカー管理装置１０を設置する。鍵８０が部屋から持ち出された際には、これを検知した報知部１４０が警報音を鳴らす。これにより、貴重品の取り忘れを防ぐことができる。なお、この場合も、通信できない無線通信タグ９０を検知する態様の他、無線通信タグ９０との間で行う通信の信号強度が所定の閾値を超えて低下した場合に警報を発する設定とすることもできる。
【００６３】
上述してきたように、本実施形態に係るロッカーシステムによれば、従来使用している機械式のロッカー装置６０の鍵８０に無線通信タグ９０を取り付けて、各無線通信タグ９０と通信可能な位置にロッカー管理装置１０を設置するだけで、各ロッカーボックス７０の使用状況を管理することができる。電子式ロッカー装置４０のロッカーボックス４２の使用状況を管理する管理サーバ２０と、ロッカー管理装置１０とを接続すれば、電子式ロッカー装置４０と機械式ロッカー装置６０の両方のロッカーボックス４２、７０を管理することができる。また、トイレ５０の個室の使用状況を管理する管理装置５１と管理サーバ２０とを接続すれば、管理サーバ２０で、ロッカー装置４０、６０やトイレ５０等の設備の使用状況を管理することもできる。管理サーバ２０と操作表示装置３０とを接続すれば、操作表示装置３０で、ロッカー装置４０、６０やトイレ５０の使用状況を案内表示することもできる。これにより、従来使用されている機械式ロッカー装置６０の利便性を高めることができる。
【産業上の利用可能性】
【００６４】
以上のように、本発明に係るロッカーシステムは、機械式ロッカー装置の利便性を高めるために有用である。
【符号の説明】
【００６５】
１０  ロッカー管理装置
２０  管理サーバ
３０  操作表示装置
４０、６０  ロッカー装置
４１  管理装置
４２、７０  ロッカーボックス
５１  管理装置
８０  鍵
９０  無線通信タグ
１１０  制御部
１２０  通信部
１３０  検知部
１４０  報知部
１５０  記憶部
【図１】
2018142193.tif 000003
【図２】
2018142193.tif 000004
【図３】
2018142193.tif 000005
【図４】
2018142193.tif 000006
【図５】
2018142193.tif 000007
【図６】
2018142193.tif 000008
【図７】
2018142193.tif 000009
【図８】
2018142193.tif 000010